(57)【要約】【課題】  簡易に組み立てられ、適当な耐久性を有し、設営に際し自由に部屋の間取りの増減ができ、かつ屋根を太陽電池パネルで構成することで容易に電源を確保することができるプレハブ住宅を提供する。【解決手段】  複数のパネルＰ１によって構成した床１１と、前記床１１の端面に立設した複数のパネルＰ１によって構成した壁１２と、前記壁１２を構成する複数のパネルＰ１の間に配置して前記パネル同士を係合する柱２３と、前記壁の上端に構成した太陽電池パネルＴからなる屋根３０とからなるプレハブ住宅。【選択図】図１
2016037816.tif 000002
【特許請求の範囲】
【請求項１】
複数のパネルによって構成した床と、前記床の端面に立設した複数のパネルによって構成した壁と、前記壁を構成するパネルの間に配置してパネルを係合する柱と、前記壁の上端に構成した太陽電池パネルの屋根とからなるプレハブ住宅。
【請求項２】
複数の柱と前記柱の上端に構成した太陽電池パネルからなる屋根とからなる駐車場あるいは駐輪場等の付属設備を構成し、この付属設備を前記プレハブ住宅に併設して配置したことを特徴とする請求項１記載のプレハブ住宅。
【請求項３】
内部に、キッチンカセット、バスカセット及びトイレカセットを配置したことを特徴とする請求項１又は２記載のプレハブ住宅。
【発明の詳細な説明】
【技術分野】
【０００１】
本発明は、屋根に太陽電池を用いたプレハブ住宅に関し、特に被災地等で短期間使用されるプレハブ住宅に関する。
【背景技術】
【０００２】
従来より、簡易住宅としてプレハブ住宅が用いられていたが、例えば特許文献１に示すようなプレハブ住宅が提案されていた。
【先行技術文献】
【特許文献】
【０００３】
【特許文献１】特開２００２−２６６４２３号公報
【０００４】
前記特許文献１に記載の発明は、べた基礎上に床、柱および間柱を建付け、柱および間柱に梁を結合して骨組みを構築する。べた基礎は、逆耐圧版方式にて施工する。床は、基礎のコンクリート上に合成樹脂フォームブロックを敷設し、その上に床仕上げを施す。柱および間柱は、角パイプであり、フラットバーとターンバックルとの組み合わせによって筋違いを施す。梁は、Ｈ型材であり、端板を柱の外面につき合わせてボルトにて一体に結合し、梁と間柱との突合せ部分は、梁を間柱の上端面に支えてボルト締めする。外壁は、ＡＬＣ板および石膏ボードを含む断熱性に優れた５層の積層構造からなるプレハブ住宅である。
【０００５】
前記特許文献１に記載の発明は、住宅構成材にローコスト、高性能、高耐久性を追求し、ひいてはトータルシステムとしての住宅にローコスト、高性能、高耐久性を実現することを目的としている。
【発明の概要】
【発明が解決しようとする課題】
【０００６】
前記特許文献１記載の発明は、ローコスト、高耐久性、高性能化に対応しているが、緊急時の仮設の住宅には向かず、電源も商用電源を利用するものであった。
【０００７】
本発明は、上記の従来例の問題点を解決するもので、簡易に組み立てられ、適当な耐久性を有し、設営に際し自由に部屋の間取りを増減するなどして住環境を良くすることができ、かつ屋根を太陽電池パネルで構成することで容易に電源を確保することができるプレハブ住宅を提供することを目的とする。
【課題を解決するための手段】
【０００８】
請求項１に記載の発明は、複数のパネルによって構成した床と、前記床の端面に立設した複数のパネルによって構成した壁と、前記壁を構成するパネルの間に配置してパネルを係合する柱と、前記壁の上端に構成した太陽電池パネルの屋根とからなるプレハブ住宅である。
【０００９】
請求項２に記載の発明は、複数の柱と前記柱の上端に構成した太陽電池パネルからなる屋根とからなる駐車場あるいは駐輪場等の付属設備を構成し、この付属設備を前記プレハブ住宅に併設して配置したプレハブ住宅である。
【００１０】
請求項３に記載の発明は、内部に、キッチンカセット、バスカセット及びトイレカセットを配置したプレハブ住宅である。
【発明の効果】
【００１１】
請求項１記載のプレハブ住宅によれば、複数のパネルによって構成した床と壁及びパネルを係合する柱とからなるため、組み立てが簡易で設営に際し床面積の変更が可能で自由にレイアウトの変更が行え、屋根を太陽電池パネルで構成することで容易に電源を確保することができる等の効果を奏する。
【００１２】
請求項２記載のプレハブ住宅によれば、前記プレハブ住宅に、太陽電池パネルからなる屋根を備えた車庫あるいは駐輪場等の付属設備を併設したためプレハブ住宅の電力の確保がさらに容易となるのである。
【００１３】
請求項３記載のプレハブ住宅によれば、前記プレハブ住宅の内部にキッチンカセット、バスカセット及びトイレカセットを配置したため住むために必要な設備と環境が整うのである。
【図面の簡単な説明】
【００１４】
【図１】実施形態１のプレハブ住宅の斜視図
【図２】実施形態１のプレハブ住宅の分解斜視図
【図３】柱とコードの関係を示す一部切欠き拡大図
【図４】実施形態１のプレハブ住宅の正面図
【図５】実施形態１のプレハブ住宅の側面図
【図６】実施形態１のプレハブ住宅の平面図
【図７】パネルの実施例１を示すもので（ａ）は正面図、（ｂ）は側面図である
【図８】パネルの実施例２を示すもので（ａ）は正面図、（ｂ）は側面図である
【図９】太陽電池パネルの実施例を示すもので（ａ）は正面図、（ｂ）は側面図である
【図１０】実施形態２のプレハブ住宅の斜視図
【図１１】実施形態２のプレハブ住宅の内部の概略平面図
【図１２】カセットの模式図
【図１３】カセットの留め具の説明図で、（ａ）は留め具と係止金具の係合状態の斜視図、（ｂ）は係止金具の正面図
【図１４】カセットの留め具の他例の説明図で、（ａ）は留め具と係止金具の係合状態の斜視図、（ｂ）は係合を解除した状態の斜視図
【図１５】実施形態３のプレハブ住宅の斜視図
【図１６】駐輪場の一実施形態を示す斜視図
【図１７】駐車場の一実施形態を示す斜視図
【図１８】実施形態４のプレハブ住宅の斜視図
【図１９】プレハブ住宅の設置例を示す模式図
【発明を実施するための形態】
【００１５】
図１乃至図９に基づいて本発明の実施形態１を説明する。
プレハブ住宅１は、地上に固定された基礎２１の上に床１１を構成し、基礎２１の四隅及び適宜間隔に複数の柱２３を立設し、これらの柱２３の間に桟２２を用いて壁１２を取り付けて組み立て、前記壁１２の上端の桟２２に太陽電池パネルＴを取り付け屋根３０を構成したものであり、全体として直方体である。
また、壁１２には鉄筋からなる補強材２４が、斜めに交差するように設けられている。この補強材２４は、任意の壁１２の内側に設けるが、壁１２の外側に設けても良い。
このプレハブ住宅１は、主として被災地等の仮設住宅用として開発されたもので、建築後５年から１０年で取り壊す程度の耐久性を備えた簡易住宅である。
【００１６】
前記床１１、壁１２はプレハブ住宅用のパネルＰ１によって構成され、これらのパネルＰ１を組み合わせることで効率的にプレハブ住宅１が組み立てられる。
パネルＰ１の大きさは任意であるが、本実施形態では図７に示すように幅Ｄ１が１８０ｃｍ、高さＨ１が９０ｃｍのものを使用している。
前記実施例１のパネルＰ１には、必要に応じ強化ガラスあるいはアクリル樹脂製等の強度の強い材質からなる窓１４が設けられているものもありまたドア１３もパネルＰ１で構成されている。
図中符号２５は空調機、２６は空調機の室外機、９０は太陽電池パネルＴからの電力を蓄える蓄電設備であり、これらは盗難防止を兼ねた鍵付きの網状の保護カバー４０内に収納されている。
【００１７】
また、図８に示すように、パネルＰ１より小型のパネルＰ２も使用することができる。この実施例２のパネルＰ２は、幅Ｄ２と高さＨ２共に９０ｃｍである。
【００１８】
図９に示すように太陽電池パネルＴは、複数の小さな発電パネルＴ１を横１０列、縦５列に配列しその外側に枠体Ｔ２を設けたものである。図中Ｔ３は、桟２２への取付部である。前記発電パネルＴ１全体の幅Ｄ３が１８０ｃｍ、高さＨ３が９０ｃｍである。
この太陽電池パネルＴの大きさはパネルＰ１と整合させたものであるが、パネルＰ２を使用する場合は太陽電池パネルの大きさも変更可能である。また発電パネルＴ１の数も任意である。
【００１９】
前記基礎２１、桟２２、柱２３は一定の強度を有する角材によって構成し、それぞれパネルＰ１に対応した大きさと長さを有している。
基礎２１、桟２２、柱２３とパネルＰ１あるいはパネルＰ１同士の結合は公知の係合手段（図示せず）で取り付けるものとする。
また前記柱２３あるいは桟２２の内部にコード９２を設置することでコード９２が保護されると共に、室内全体に電気配線がなされ、室内の任意の位置から電気設備を使えるように各柱２３にはコンセント９１が備えてある。なお、屋根３０の周囲には、必要な雨樋（図示せず）を設けることもできる。
【００２０】
さらにプレハブ住宅１の内部には、台所、トイレ、浴室設備、居間等の生活空間があり、そこで使用される設備はすべて電気によって作動するものであり、ガスは使われていない。
【００２１】
次にプレハブ住宅１の組み立て方を説明する。
床１１は６枚のパネルＰ１を直接係合して構成し、正面はパネルＰ１からなるドア１３と窓１４を備えたパネルＰ１を柱２３を介して係合し、上方にパネルＰ１を横向きに配置している。
側面の壁１２は９枚のパネルＰ１を３段に並べ、このパネルＰ１と柱２３、桟２２を係合して構成している。側面の一部のパネルＰ１には、窓１４をあらかじめ構成してある。
また、前記パネルＰ１同士を直接係合できる場合は、パネルＰ１の間に桟２２、柱２３は設けなくてもよい。
【００２２】
屋根３０は、６枚の太陽電池パネルＴが、最上段の桟２２に適宜手段により取付けられており、この太陽電池パネルＴとプレハブ住宅１内部の照明器具などの電気設備は電気的に接続されている。
【００２３】
上記のように構成したプレハブ住宅は、屋根が太陽電池であるため、屋根を作る必要がなく製作時の効率が良く、仮設住宅のように緊急性を有する簡易住宅に最適である。また、規格化されたパネルあるいは柱、桟等によって製作するため簡易かつ廉価であるというメリットもある。
さらに外部からの商用電源を引き込むための電気工事を要することなく電源を常に確保できるのである。
【００２４】
図１０は本発明の実施形態２の斜視図である。
本実施形態のプレハブ住宅１は、前記実施形態１のプレハブ住宅に増設をしたものである。増設はパネルと柱、桟を用いて適宜所望の広さにすることができる。この実施形態では、一部の壁１２ａにパネルＰ１を使用して拡張することで効率よく増設できるのである。また増設部分の屋根にも太陽電池パネルＴを構成する。この増設によって部屋数が多くなり住環境が良くなるのである。
【００２５】
このように、前記パネルＰ１及び太陽電池パネルＴの組合わせを適宜変更することで、家族構成に従って増築する等、住宅の大きさと形状を自由に変更できるのである。
なお、パネルＰ１に代えて図８のパネルＰ２を使用しても良く、このパネルＰ２の大きさに伴って太陽電池パネルの大きさも変更できる。
【００２６】
図１１は、前記実施形態２のプレハブ住宅１の内部を表す平面図である。部屋の内部には、生活の為に必要な機能を備えた各種のカセット５０が配置されている。本例では、キッチンカセット５１、バスカセット５２及びトイレカセット５３を並べて配置するが、これに限定されず、他のカセットを使用することもできる。
また単身者、夫婦用等、プレハブ住宅１に居住する家族の人数によりカセット５０を容易に増減させることができる。
【００２７】
図１２はカセット５０の模式図であり、カセット５０はパネルＰ１の面積と同一の面積を有する底面部５０ｃを有した直方体であり、外側に留め具５０ａを取り付けてある。この留め具５０ａと係止金具５０ｂによって、部屋の内部に固定することによってカセット５０自体の補強もできる。
【００２８】
図１３はカセットの留め具５０ａの説明図であり、この実施形態の留め具５０ａは、半円形でレバーによって回転するもので、部屋のパネルＰ１や仕切りに取り付けてある係止金具５０ｂと係合して固定するものである。
【００２９】
この留め部はこの実施形態に限らず他の留め具を使用できる。
図１４に示す留め部の他例は、カセット５０に留め具６０ｂを取り付け、パネルＰ１に係止金具６０ｃを取り付けるが、前記留め具６０ｂにはレバー６０ａを設けてあり、このレバー６０ａを使用するため操作が容易になる。
【００３０】
図１５は本発明の実施形態３の斜視図である。
本実施形態のプレハブ住宅１は、前記実施形態１の太陽電池パネルＴを傾斜して取り付けて傾斜屋根３１としたものである。
この実施形態によれば、傾斜屋根３１に積雪があったときに雪が早く落下するという効果と、発電効果が高まるという効果がある。
本実施形態では傾斜角度を１６度としたが、この角度は任意に決定できる。
【００３１】
図１６は駐輪場の斜視図、図１７は駐車場の斜視図である。
図示の駐輪場２、駐車場３は前記実施形態１、２のプレハブ住宅の近傍に併設される付属設備である。これらの駐輪場２、駐車場３も基礎２１、柱２３、桟２２及び太陽電池パネルＴからなる屋根、さらに必要に応じてパネルＰ１を用いて構成され、内部に自転車１００あるいは自動車１１０を格納する。ここで得た電力はプレハブ住宅に供給される。
前記のように柱２３、桟２２内部にはコード９２が設けられていて、柱２３には、自動車１１０あるいは自転車１００の充電用のコンセント９３が設けられている。
自動車１１０には充電器が設けられているが、自転車１００にも充電器１００ａを設けることで坂道での走行も楽に行えるのである。
【００３２】
図１８は本発明の実施形態４の斜視図である。
本実施形態のプレハブ住宅１は、前記実施形態１のプレハブ住宅１に隣接して前記駐輪場２、駐車場３を設けたものである。この駐輪場２、駐車場３で得た電力は、コード９２によってプレハブ住宅１に供給されるのである。これによってさらに多くの電力を得ることができる。
【００３３】
図１９は本発明のプレハブ住宅の設置例を示した模式図である。
この例では、前記プレハブ住宅１を１０軒向かい合わせに配置して、中央に電動の揚水設備４１を設置したものである。この揚水設備４１から配管４２を介して各プレハブ住宅１に水が供給される。また、水道の本管４３が近傍にある場合にはそこから配管４２を介して水を取得しても良い。
【符号の説明】
【００３４】
１  プレハブ住宅        ２  駐輪場      
３  駐車場            １１  床          
１２  壁                ２１  基礎      
２２  桟                ２３  柱
３０  屋根              ４０  保護カバー
５０  カセット
Ｔ    太陽電池パネル    Ｔａ  太陽電池パネル
Ｔ１  発電パネル        Ｐ１  パネル      Ｐ２  パネル
【図１】
2016037816.tif 000003
【図２】
2016037816.tif 000004
【図３】
2016037816.tif 000005
【図４】
2016037816.tif 000006
【図５】
2016037816.tif 000007
【図６】
2016037816.tif 000008
【図７】
2016037816.tif 000009
【図８】
2016037816.tif 000010
【図９】
2016037816.tif 000011
【図１０】
2016037816.tif 000012
【図１１】
2016037816.tif 000013
【図１２】
2016037816.tif 000014
【図１３】
2016037816.tif 000015
【図１４】
2016037816.tif 000016
【図１５】
2016037816.tif 000017
【図１６】
2016037816.tif 000018
【図１７】
2016037816.tif 000019
【図１８】
2016037816.tif 000020
【図１９】
2016037816.tif 000021